(57)【要約】【課題】高い精度で振動を検出することができる遊技機を提供する。【解決手段】振動検出部材４０がて、遊技盤２の後面側に固定される保持部材４１と、左右方向へ揺動可能に保持部材４１に取り付けられる揺動部材４２と、揺動部材４２に取り付けられる振動検出センサ５３とを備えている。また、保持部材４１が、遊技盤２の後面にネジ止めされる基部４３と、基部４３から後方へ延びる脚部４４と、脚部４４の先端に設けられ、遊技盤２の後面側において周囲から浮いた状態となる取付部４５とを有しており、該取付部４５に揺動部材４２を取り付けている。【選択図】図６
2020202967.tif 000002
【特許請求の範囲】
【請求項１】
前面に遊技球が流下可能な遊技領域を有する遊技盤の後面側に振動検出手段が設置されてなる遊技機であって、
前記振動検出手段が、前記遊技盤の後面側に固定される保持手段と、前記保持手段に取り付けられ、前後方向及び／又は左右方向へ揺動可能な揺動手段と、前記揺動手段に取り付けられる振動検出センサとを備えているとともに、
前記保持手段が、前記遊技盤の後面側に固定するための基部と、前記基部から後方へ所定距離だけ離れた位置にあり、前記揺動手段が取り付けられる取付部と、前記基部と前記取付部とを連結する連結部を有しており、
前記取付部が、前記遊技盤の後面側において周囲から浮いていることを特徴とする遊技機。
【請求項２】
前記取付部が、前記遊技盤の後面と平行に延びる板状に形成されており、前記取付部の後面に前記揺動手段が取り付けられているとともに、
前記振動検出手段の設置状態において、前記取付部が、前記遊技領域から排出される遊技球が通過する樋の後方に位置していることを特徴とする請求項１に記載の遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機等では、遊技者が遊技機本体の前面を叩く等して遊技球を始動入賞口等へ不正に入賞させようとするというような不正行為が問題となっている。そのため、遊技機本体に振動を検出する振動検出センサを取り付け、不正な振動を検出すると表示画面にメッセージを表示したり、遊技場を管理するコンピュータに信号を送信する等していた。また、たとえば特許文献１に記載の遊技機のように、振動検出センサと遊技機本体との間に振動増幅部材を介在させ、より確実に振動を検出しようとするようなものも考案されている。
【先行技術文献】
【特許文献】
【０００３】
【特許文献１】特開２０１７−１５８９４９号公報
【発明の概要】
【発明が解決しようとする課題】
【０００４】
しかしながら、たとえ特許文献１に記載されているような振動増幅部材を取り付けたとしても、効果的に振動を検出できないことがあった。
【０００５】
そこで、本発明は、上記問題に鑑みなされたものであって、更に高い精度で振動を検出することができる遊技機を提供しようとするものである。
【課題を解決するための手段】
【０００６】
上記目的を達成するために、本発明のうち請求項１に記載の発明は、前面に遊技球が流下可能な遊技領域を有する遊技盤の後面側に振動検出手段が設置されてなる遊技機であって、前記振動検出手段が、前記遊技盤の後面側に固定される保持手段と、前記保持手段に取り付けられ、前後方向及び／又は左右方向へ揺動可能な揺動手段と、前記揺動手段に取り付けられる振動検出センサとを備えているとともに、前記保持手段が、前記遊技盤の後面側に固定するための基部と、前記基部から後方へ所定距離だけ離れた位置にあり、前記揺動手段が取り付けられる取付部と、前記基部と前記取付部とを連結する連結部を有しており、前記取付部が、前記遊技盤の後面側において周囲から浮いていることを特徴とする。
請求項２に記載の発明は、請求項１に記載の発明において、前記取付部が、前記遊技盤の後面と平行に延びる板状に形成されており、前記取付部の後面に前記揺動手段が取り付けられているとともに、前記振動検出手段の設置状態において、前記取付部が、前記遊技領域から排出される遊技球が通過する樋の後方に位置していることを特徴とする。
【発明の効果】
【０００７】
本発明によれば、振動検出手段が、遊技盤の後面側に固定される保持手段と、保持手段に取り付けられ、前後方向及び／又は左右方向へ揺動可能な揺動手段と、揺動手段に取り付けられる振動検出センサとを備えている。また、保持手段が、遊技盤の後面側に固定するための基部と、基部から後方へ所定距離だけ離れた位置にあり、揺動手段が取り付けられる取付部と、基部と取付部とを連結する連結部を有している。そして、取付部、ひいては揺動手段が、遊技盤の後面側において周囲から浮いた状態となるようにした。したがって、遊技者が遊技機本体の前面を叩く等した際、取付部に取り付けられた揺動手段が前後方向及び／又は左右方向へ揺動することで、従来よりも精度良く振動を検出することができ、ひいては防犯性の向上を図ることができる。
また、請求項２に記載の発明によれば、取付部が、遊技盤の後面と平行に延びる板状に形成されており、取付部の後面に揺動手段が取り付けられているとともに、振動検出手段の設置状態において、取付部が、遊技領域から排出される遊技球が通過する樋の後方に位置している。したがって、振動検出手段の後方への突出量を抑えることができ、遊技盤の後方の空間を有効利用することができる上、樋内を遊技球が通過することにより発生する振動による影響を受けることなく、高精度な振動検出を実現することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】振動検出部材を示した説明図であり、（ａ）は上方から、（ｂ）は後方から、（ｃ）は斜め上方から夫々示している。
【図５】分解状態にある振動検出部材を後方から示した斜視説明図である。
【図６】振動検出部材を遊技盤の後面側に設置した状態を後方から示した説明図である。
【図７】振動検出部材を遊技盤の後面側に設置した状態を下方から示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、遊技盤２を前面側から示した説明図である。図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の中央稍上寄りとなる位置には、「０」〜「９」の数字からなる装飾図柄やキャラクター等を表示するための演出用表示部６、演出用表示部６の下辺に沿って左右方向に延設されており、上面を遊技球が左右に転動可能な転動面８１、及び遊技領域１６内を流下する遊技球を転動面８１上へ導くためのワープ通路８２等を有する表示部材８０が設置されている。さらに、表示部材８０の下方で遊技領域１６の中央部から下部にかけて、遊技球が進入可能な進入口３１、進入口３１から左右に分岐しつつ下方へ延びる遊技球流路３２、遊技球流路３２の分岐部等に配される種々の電動役物、遊技球流路３２を流下する遊技球が最終的に到達するステージ７９、遊技球が入賞可能な非電動役物１９、遊技球が進入可能で、非電動役物１９を開動作させる契機となる作動口（図示せず）、及び非電動役物１９に入賞しなかった遊技球等を再び遊技領域１６内へ排出する排出口（図示せず）等を備えたセンター部材２６が設置されている。
【００１２】
また、表示部材８０及びセンター部材２６の左方には、遊技球が流下可能で、遊技球が入賞可能な入賞部材８４、８４が設置された左打ち用スペースＳＬが形成されており、この左打ち用スペースＳＬを流下させることで、ワープ通路８２への進入（すなわち、転動面８１上への誘導）や進入口３１への進入（すなわち、センター部材２６への進入）を効率良く狙えるようになっている。一方、表示部材８０及びセンター部材２６の右方にも遊技球が流下可能な右打ち用スペースＳＲが形成されている。この右打ち用スペースＳＲには、遊技球が通過可能なゲート部材２０、一対の可動片を有するチューリップ式電動役物１７、所謂大当たり状態において交互に開閉する２つの可動入賞装置１８Ａ、１８Ｂが設置されている。そして、遊技球を左打ち用スペースＳＬではなく右打ち用スペースＳＲを流下させることで、ゲート部材２０を通過させたり、開動作しているチューリップ式電動役物１７へ入賞させたり、開成している可動入賞装置１８Ａ、１８Ｂへ入賞させたりすることができるようになっている。
【００１３】
なお、左打ち用スペースＳＬや右打ち用スペースＳＲには、多数の遊技釘が植設されている。また、遊技領域１６外となる遊技盤２の右下部には、第１特別図柄及び第２特別図柄を夫々別個に表示可能とした特別図柄表示部８３が設けられている。さらに、遊技領域１６の下端位置には、遊技領域１６内へ打ち込まれた遊技球のうち、入賞部材へ入賞等することなく流下してきた遊技球を回収するためのアウト口３３が設けられている。
【００１４】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１６】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂左打ちを行い）、センター部材２６への遊技球の進入、すなわち進入口３１への進入を狙う。また、進入口３１からセンター部材２６内へ進入した遊技球は、遊技球流路３２により種々のルートに振り分けられながらも最終的にはステージ７９上に到達する。さらに、ステージ７９上に到達した遊技球が非電動役物１９へ入賞すると、所謂大当たり抽選が実行されるとともに、演出用表示部６において装飾図柄が、特別図柄表示部８３において第１特別図柄が夫々変動開始となる。そして、大当たり抽選の結果が「大当たり」であると、演出用表示部６及び特別図柄表示部８３に夫々所定の「大当たり図柄」が確定表示される（たとえば、演出用表示部６に「７、７」と確定表示される）。また、「大当たり図柄」が確定表示されると、可動入賞装置１８Ａ、１８Ｂを夫々１回ずつ開成させるといった所謂「大当たり状態」が生起する。そこで、遊技者は、遊技球を右打ち用スペースＳＲへ打ち込んで流下させる所謂右打ちを行い、開成する可動入賞装置１８Ａ、１８Ｂへの遊技球の入賞を狙う。なお、遊技球が非電動役物１９へ入賞したものの、大当たり抽選の結果が「はずれ」であると、演出用表示部６及び特別図柄表示部８３に夫々所定の「はずれ図柄」が確定表示され、大当たり状態が生起することはない。
【００１７】
また、大当たり状態が終了すると、ゲート部材２０への遊技球の通過検知に起因して実行される所謂当たり抽選の結果が「当たり」となりやすく、チューリップ式電動役物１７が頻繁に開状態となって遊技球の入賞が可能となるとともに、チューリップ式電動役物１７への入賞検知に起因して実行される大当たり抽選の結果が「大当たり」となりやすい所謂確変状態が生起する。そこで、遊技者は右打ちを継続し、ゲート部材２０への遊技球の通過、及び頻繁に開状態となるチューリップ式電動役物１７への遊技球の入賞を狙う。また、チューリップ式電動役物１７への遊技球の入賞に応じて実行された大当たり抽選の結果が「大当たり」になると、特別図柄表示部８３及び演出用表示部６に「大当たり図柄」が確定表示され、可動入賞装置１８Ａ、１８Ｂを夫々１回ずつ開成させる「大当たり状態」が再び生起する。なお、チューリップ式電動役物１７へ遊技球が入賞した場合、特別図柄表示部８３では第２特別図柄を変動／確定表示させる。
【００１８】
そして、最初の確変状態から繰り返される「大当たり図柄」での確定表示回数が所定回数（たとえば１０回）に達し、当該所定回数目の「大当たり図柄」の確定表示に伴い生起した「大当たり状態」が終了すると、確変状態を生起させることなく、ゲート部材２０への遊技球の通過検知に起因して実行される当たり抽選の結果が「当たり」となりにくく（或いは「当たり」とならず）、チューリップ式電動役物１７がほぼ開状態とならない（或いは開状態になることがない）上、大当たり抽選の結果が「大当たり」となりにくい遊技開始当初の通常状態へ復帰する。そのため、遊技者は、右打ちを止めて左打ちを行う上記遊技へと戻る。
【００１９】
（振動検出部材の説明）
ここで、本発明の要部となる振動検出部材４０について、図４〜図７にもとづき詳細に説明する。
図４は、振動検出部材４０を示した説明図であり、（ａ）は上方から、（ｂ）は後方から、（ｃ）は斜め上方から夫々示している。図５は、分解状態にある振動検出部材４０を後方から示した斜視説明図である。図６は、振動検出部材４０を遊技盤２の後面側に設置した状態を後方から示した説明図である。図７は、振動検出部材４０を遊技盤２の後面側に設置した状態を下方から示した説明図である。
【００２０】
まず、振動検出部材４０の構造について説明する。
振動検出部材４０は、遊技盤２の後面側に固定される保持部材４１と、保持部材４１に取り付けられる揺動部材４２と、振動を検出するための振動検出センサ５３とを備えてなる。保持部材４１は、基部４３と、基部から後方へ突出する脚部４４と、脚部４４の先端に設けられた取付部４５とを一体的に有する合成樹脂製の部材である。そして、基部４３には、遊技盤の後面側にネジ止めするための丸孔４３ａ、４３ａが穿設されている。また、取付部４５は基部４３と平行な板状に形成され、該取付部４５の後面上部には、第１中継基板４６を設置するための第１基板設置部４７が設けられている。さらに、取付部４５の後面で第１基板設置部４７の下側には、揺動部材４２を軸着するための軸部４８が後方へ突設されている。加えて、軸部４８の更に下側には、軸着された揺動部材４２を取付部４５の後面から後方へ浮かせるための凸条４９が後方へ突設されている。なお、脚部４４の後方への突出高さは、後述する樋３９の後方への突出量よりも高くなっている。
【００２１】
一方、揺動部材４２は、正面視滴型に成形された板体４２ａの外周縁に沿って前方へ突出するリブ４２ｂを周設してなるもので、上端部には、取付部４５へ軸着するための軸孔５０が穿設されている。また、揺動部材４２の後面で軸孔５０の下側には、第２中継基板５１を設置するための第２基板設置部５２が設けられている。そして、揺動部材４２の後面で第２基板設置部５２の更に下側に、振動検出センサ５３が取り付けられている。なお、板体４２ａの外周縁からのリブ４２ｂの前方への突出量は、凸条４９の取付部４５の後面からの突出量よりも小さくなっている。
【００２２】
上記保持部材４１と揺動部材４２とは、軸孔５０に軸部４８を遊挿させた状態でワッシャ付きネジ５４を軸部４８へねじ込むことにより一体化されて、振動検出部材４０とされる。そして、一体化した状態において、揺動部材４２は、保持部材４１に対して軸部４８を中心に左右方向へ揺動可能となっている。また、軸部４８の先端が揺動部材４２の後面よりも後方まで突出しており、揺動部材４２は、前後方向へもガタ付き（揺動）可能となっている。さらに、一体化状態にあっては、板体４２ａの前面に凸条４９の先端が当接して、揺動部材４２が保持部材４１の後面から後方へ浮き上がった状態となっており、左右方向へ揺れやすくなっていることは勿論、前後方向へも揺れやすくなっている。ただ、凸条４９はリブ４２ｂに囲まれた内側に当接しているため、揺動部材４２が左右方向へ大きく揺動したとしても、凸条４９とリブ４２ｂとが干渉し、凸条４９を超えてまで揺動部材４２が揺動しないようになっている。
【００２３】
また、上述したように保持部材４１と揺動部材４２とを一体化してなる振動検出部材４０は、保持部材４１の基部４３を、遊技盤２の後面（特にパチンコ機１の前側から見て、前扉４を片開き自在に保持するヒンジの近傍となる遊技盤２の左下の位置）にネジ止めして設置される。当該設置状態において、取付部４５は遊技盤２の後面と平行となっており、その後面に取り付けられた揺動部材４２は、遊技領域１６から排出された遊技球（入賞球やアウト球）を島設備側へ回収するための樋３９の後方に位置している。すなわち、保持部材４１及び揺動部材４２と樋３９とは離隔しており、樋３９内を遊技球が通過することにより発生する振動が、揺動部材４２に影響を及ぼさないようになっている。
【００２４】
さらに、振動検出センサ５３は、メイン制御装置と電気的に接続されることになるが、その配線に係り、まずメイン制御装置側（メイン制御装置そのものであってもよいし、メイン制御装置との間に介在される別の中継基板であってもよい）から延びる第１のリード線が第１中継基板４６に接続される。また、第１中継基板４６と第２中継基板５１とが、第１のリード線とは別の第２のリード線を用いて接続される。そして、最後に振動検出センサ５３から延びる第３のリード線（前述した２つのリード線とは別のリード線）が第２中継基板５１に接続されることにより、振動検出センサ５３とメイン制御装置とが電気的に接続される。
【００２５】
（本実施形態のパチンコ機による効果）
以上のような構成を有するパチンコ機１によれば、振動検出部材４０が、遊技盤２の後面側に固定される保持部材４１と、左右方向へ揺動可能に保持部材４１に取り付けられる揺動部材４２と、揺動部材４２に取り付けられる振動検出センサ５３とを備えてなる。また、保持部材４１が、遊技盤２の後面にネジ止めされる基部４３と、基部４３から後方へ延びる脚部４４と、脚部４４の先端に設けられ、遊技盤２の後面側において周囲から浮いた状態となる取付部４５とを有しており、該取付部４５に揺動部材４２を取り付けている。したがって、遊技者がパチンコ機１を叩く等した際、取付部４５に取り付けられた揺動部材４２が前後左右に揺れるため、パチンコ機１に発生した振動を精度良く検出することができる。
【００２６】
また、取付部４５に、後方へ突出して揺動部材４２の後面に当接し、揺動部材４２を取付部４５の表面から浮かせるための凸条４９を設けている。したがって、パチンコ機１に振動が生じた際、揺動部材４２が非常に揺れやすくなり、振動の検出精度の更なる向上を図ることができる。
【００２７】
さらに、揺動部材４２の外周縁に沿って前方へ突出するリブ４２ｂを設けており、リブ４２ｂで囲まれた内側に凸条４９を位置させている。したがって、揺動部材４２が左右方向へ大きく揺動したとしても、凸条４９とリブ４２ｂとが干渉し、凸条４９を超えてまで揺動部材４２が揺動しないようになっている。したがって、揺動部材４２が大きく揺動した結果、凸条４９に引っ掛かってしまい、振動が検出できなくなるというような事態は生じない。
【００２８】
さらにまた、振動検出部材４０の設置状態において、取付部４５が、遊技盤２の後面と平行に延びるようにし、該取付部４５の後面に揺動部材４２を取り付けるとともに、取付部４５が、遊技領域１６から排出される遊技球が通過する樋３９の後方に位置するようにした。したがって、振動検出部材４０の後方への突出量を抑えることができ、遊技盤２の後方の空間を有効利用することができる上、樋３９内を遊技球が通過することにより振動が生じるものの、そのような振動の影響を受けることのない構成とすることができる。
【００２９】
加えて、保持部材４１の取付部４５の表面（揺動部材４２の近傍）に第１中継基板４６を、揺動部材４２の表面に第２中継基板５１を夫々設置し、メイン制御装置側から延びる第１のリード線が第１中継基板４６に接続され、第１中継基板４６と第２中継基板５１とが第２のリード線で接続され、振動検出センサ５３から延びる第３のリード線が第２中継基板５１に接続されるようにした。したがって、たとえば振動検出センサ５３とメイン制御装置側とを１つのリード線で直接接続するような構成と比較して、振動検出センサ５３の揺れに起因してリード線にねじれ等が生じにくい上、リード線がねじれたことで揺動部材４２の動作が制限されてしまう等、検出精度が低下してしまうような事態が生じない。
【００３０】
（本発明の変更例について）
なお、本発明の遊技機に係る構成は、上記実施形態に何ら限定されるものではなく、遊技機全体の構成は勿論、振動検出手段に係る構成等についても、本発明の趣旨を逸脱しない範囲で必要に応じて適宜変更可能である。
【００３１】
たとえば、上記実施形態では、振動検出手段の設置状態において、取付部が、遊技盤の後面と平行に延びるようにしているが、遊技盤の後面に対して直交する方向へ延びるような取付部として、該取付部の表面に揺動手段を取り付け、揺動手段が主に前後方向へ揺動するような構成を採用することも可能である。
また、上記実施形態では、揺動手段が前後左右の何れの方向へも揺動するように構成しているが、前後方向や左右方向の何れかへのみ揺動するように揺動手段を取り付けるとしてもよい。
【００３２】
さらに、遊技盤の後方における振動検出手段の設置位置、ひいては取付部の位置は言うまでもなく適宜設計変更可能な事項であるし、取付部に凸条を設けるか否かや揺動手段にリブを設けるか否か等についても適宜設計変更可能である。なお、１つの遊技機に対して複数の振動検出手段を設けても何ら問題はなく、それらうちの少なくとも１つが本発明に係る保持手段や揺動手段を備えてさえいれば、本発明に係る権利範囲に含まれる。
加えて、上記実施形態では、保持手段に第１中継基板を、揺動手段に第２中継基板を夫々設置しており、振動検出センサから制御手段側までを３つの異なるリード線を用いて接続するとしているが、振動検出センサと制御手段側とを１つのリード線で接続するように構成することも可能である。なお、上記実施形態では、振動検出センサをメイン制御装置に接続しているが、サブ制御装置等の他の制御装置に接続し、該他の制御装置にて振動を検出するように構成することも可能である。
【００３３】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、遊技盤、振動検出手段、保持手段、揺動手段、振動検出センサ、基部、取付部、連結部、樋等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３４】
１・・パチンコ機（遊技機）、２・・遊技盤、１６・・遊技領域、３９・・樋、４０・・振動検出部材（振動検出手段）、４１・・保持部材（保持手段）、４２・・揺動部材（揺動手段）、４３・・基部、４４・・脚部（連結部）、４５・・取付部、５３・・振動検出センサ。
【図１】
2020202967.tif 000003
【図２】
2020202967.tif 000004
【図３】
2020202967.tif 000005
【図４】
2020202967.tif 000006
【図５】
2020202967.tif 000007
【図６】
2020202967.tif 000008
【図７】
2020202967.tif 000009